(57)【特許請求の範囲】
【請求項１】
指定長さおよび指定幅を伴う位置検出面と、
複数の光ビームを発光するように構成された複数の発光素子ペアの第１のセットであって、縦方向の前記位置検出面の第１の辺に沿った様々なポイントにペアで配置構成される、複数の発光素子ペアの第１のセットと、を備える、マルチタッチ光学タッチ・パネルであって、
第１の発光素子は、前記第１の辺に対して角度１８０−θ１で各発光素子ペアの左側に配置構成可能であり、
第２の発光素子は、前記第１の辺に対して角度θ１で各発光素子ペアの右側に配置構成可能であり、
複数の発光素子の第２のセットは、前記第１の辺に対して９０度で前記第１の辺に沿った前記様々なポイントに配置構成可能であり、
前記幅方向の前記位置検出面の２つの向かい合う辺に沿って配置構成された２つの反射体であって、前記複数の発光素子ペアの前記第１のセットによって発光された前記複数の光ビームを反射するように構成される、反射体と、
前記複数の発光素子ペアの前記第１のセットによって発光された前記複数の光ビームを受け取るように構成された、複数の受光素子ペアの第１のセットであって、縦方向の前記第１の辺と向かい合う前記位置検出面の第２の辺に沿った様々なポイントに、ペアで配置構成される、複数の受光素子ペアの第１のセットとを、さらに備え、
第１の受光素子は、前記第２の辺に対して角度θ１−１８０で各受光素子ペアの左側に配置構成され、
第２の受光素子は、前記第２の辺に対して角度−θ１で各受光素子ペアの右側に配置構成され、
複数の受光素子の第２のセットは、前記複数の発光素子の第２のセットによって発光される前記複数の光ビームを受け取るために、前記第２の辺に対して−９０度で前記第２の辺に沿った前記様々なポイントに配置構成され、
制御回路は、前記複数の発光素子ペアの第１のセットおよび前記複数の発光素子の第２のセットに、前記位置検出面をスキャンするために所定の順序で前記複数の光ビームを発光させるように構成され、さらに、前記複数の受光素子ペアの第１のセットおよび前記複数の受光素子の第２のセットに前記複数の光ビームを受け取らせ、それによって前記位置検出面上に格子パターンで光路を形成するように構成され、
マルチタッチ光学タッチ・パネルは、前記位置検出面上に配置されたオブジェクトを検出するように適合され、前記オブジェクトが前記位置検出面上に配置された場合、前記複数の光ビームの少なくとも一部が前記オブジェクトによってブロックされ、それにより、前記複数の光ビームの前記一部が、前記複数の受光素子の第２のセットのうちの１つと、前記複数の受光素子ペアの第１のセットのうちの少なくとも１つの、前記第１または第２の受光素子のうちの少なくとも１つとに、達するのが妨げられ、
さらに前記制御回路は、前記位置検出面上に配置された前記オブジェクトの座標を決定するように構成され、
前記制御回路は、光ビームを受け取らない２つの受光素子のそれぞれが、前記複数の受光素子ペアのうちの１つの第１の受光素子または第２の受光素子のいずれであるかに基づいて、前記位置検出面を４つの領域、領域Ｉ、領域ＩＩ、領域ＩＩＩ、および、領域ＩＶに分割するように構成され、
前記制御回路は、前記位置検出面上に配置された前記オブジェクトの前記座標を以下のように計算するように構成され、
スキャン・サイクル中に光ビームを受け取らない前記２つの受光素子が、どちらも第１の受光素子である場合、前記オブジェクトは前記位置検出面の前記領域Ｉ内に位置し、前記座標を決定するための数式は以下のとおりであり、
【数１】
0005593375.tif 000006
スキャン・サイクル中に光ビームを受け取らない前記２つの受光素子が、どちらも第２の受光素子である場合、前記オブジェクトは前記位置検出面の前記領域ＩＩ内に位置し、前記座標を決定するための数式は以下のとおりであり、
【数２】
0005593375.tif 000007
スキャン・サイクル中に光ビームを受け取らない前記位置検出面の前記第２の辺の左部分にある前記受光素子が第１の受光素子であり、光ビームを受け取らない前記位置検出面の前記第２の辺の右部分にある前記受光素子が第２の受光素子である場合、前記オブジェクトは前記位置検出面の領域ＩＩＩ内に位置し、前記座標を決定するための数式は以下のとおりであり、
【数３】
0005593375.tif 000008
スキャン・サイクル中に光ビームを受け取らない前記位置検出面の前記第２の辺の左部分にある前記受光素子が第２の受光素子であり、光ビームを受け取らない前記位置検出面の前記第２の辺の右部分にある前記受光素子が第１の受光素子である場合、前記オブジェクトは前記位置検出面の領域ＩＶ内に位置し、前記座標を決定するための数式は以下のとおりであり、
【数４】
0005593375.tif 000009
上式で、「（Ａ，Ｂ）」は前記オブジェクトの前記座標に対応し、「ｍ」および「ｎ」はそれぞれ、スキャン・サイクル中に光ビームを受け取らない前記２つの受光素子の前記位置検出面の前記第２の辺の左端からの距離に対応し、「ｍ」は光ビームを受け取らない前記左側の受光素子の前記第２の辺の左端からの距離であり、「ｎ」は光ビームを受け取らない前記右側の受光素子の前記第２の辺の左端からの距離である、
マルチタッチ光学タッチ・パネル。
【請求項２】
指定長さおよび指定幅を伴う位置検出面と、
複数の光ビームを発光するように構成された複数の発光素子ペアの第１のセットであって、縦方向の前記位置検出面の第１の辺に沿った様々なポイントにペアで配置構成される、複数の発光素子ペアの第１のセットと、を備える、マルチタッチ光学タッチ・パネルであって、
第１の発光素子は、前記第１の辺に対して角度１８０−θ１で各発光素子ペアの左側に配置構成可能であり、
第２の発光素子は、前記第１の辺に対して角度θ１で各発光素子ペアの右側に配置構成可能であり、
複数の発光素子の第２のセットは、前記第１の辺に対して９０度で前記第１の辺に沿った前記様々なポイントに配置構成可能であり、
前記幅方向の前記位置検出面の２つの向かい合う辺に沿って配置構成された２つの反射体であって、前記複数の発光素子ペアの前記第１のセットによって発光された前記複数の光ビームを反射するように構成される、反射体と、
前記複数の発光素子ペアの前記第１のセットによって発光された前記複数の光ビームを受け取るように構成された、複数の受光素子ペアの第１のセットであって、縦方向の前記第１の辺と向かい合う前記位置検出面の第２の辺に沿った様々なポイントに、ペアで配置構成される、複数の受光素子ペアの第１のセットとを、さらに備え、
第１の受光素子は、前記第２の辺に対して角度θ１−１８０で各受光素子ペアの左側に配置構成され、
第２の受光素子は、前記第２の辺に対して角度−θ１で各受光素子ペアの右側に配置構成され、
複数の受光素子の第２のセットは、前記複数の発光素子の第２のセットによって発光される前記複数の光ビームを受け取るために、前記第２の辺に対して−９０度で前記第２の辺に沿った前記様々なポイントに配置構成され、
制御回路は、前記複数の発光素子ペアの第１のセットおよび前記複数の発光素子の第２のセットに、前記位置検出面をスキャンするために所定の順序で前記複数の光ビームを発光させるように構成され、さらに、前記複数の受光素子ペアの第１のセットおよび前記複数の受光素子の第２のセットに前記複数の光ビームを受け取らせ、それによって前記位置検出面上に格子パターンで光路を形成するように構成され、
マルチタッチ光学タッチ・パネルは、前記位置検出面上に配置されたオブジェクトを検出するように適合され、前記オブジェクトが前記位置検出面上に配置された場合、前記複数の光ビームの少なくとも一部が前記オブジェクトによってブロックされ、それにより、前記複数の光ビームの前記一部が、前記複数の受光素子の第２のセットのうちの１つと、前記複数の受光素子ペアの第１のセットのうちの少なくとも１つの、前記第１または第２の受光素子のうちの少なくとも１つとに、達するのが妨げられ、
さらに前記制御回路は、前記位置検出面上に配置された前記オブジェクトの座標を決定するように構成され、
複数の光ビームを発光するように構成された複数の発光素子ペアの第３のセットであって、縦方向の前記位置検出面の第１の辺に沿った様々なポイントにペアで配置構成される、複数の発光素子ペアの第３のセットをさらに備え、
第１の発光素子は、前記第１の辺に対して角度１８０−θ２で各発光素子ペアの左側に配置構成可能であり、
第２の発光素子は、前記第１の辺に対して角度θ２で各発光素子ペアの右側に配置構成可能であり、
前記複数の発光素子ペアの前記第３のセットによって発光された前記複数の光ビームを受け取るように構成された、複数の受光素子ペアの第３のセットであって、縦方向の前記第１の辺と向かい合う前記位置検出面の第２の辺に沿った様々なポイントに、ペアで配置構成される、複数の受光素子ペアの第３のセットとを、さらに備え、
第１の受光素子は、前記第２の辺に対して角度θ２−１８０で各受光素子ペアの左側に配置構成され、
第２の受光素子は、前記第２の辺に対して角度−θ２で各受光素子ペアの右側に配置構成され、
前記角度θ２と、９０度と、前記θ１とのあいだに多重関係が存在しない、
マルチタッチ光学タッチ・パネル。
【請求項３】
前記制御回路は、発光素子ペアに左から右へ順番に１つずつ複数の光ビームを発光させるか、または、複数の代替発光素子ペアに所与の時点で同時に前記複数の光ビームを発光させるように構成される、請求項１または２に記載のマルチタッチ光学タッチ・パネル。
【請求項４】
前記複数の発光素子が発光ダイオードを含む、請求項１または２に記載のマルチタッチ光学タッチ・パネル。
【請求項５】
前記複数の受光素子が光トランジスタを含む、請求項１または２に記載のマルチタッチ光学タッチ・パネル。
【請求項６】
第１の発光素子が第１の辺に対して角度１８０−θ１で発光素子ペアの第１のセットのそれぞれの左側に配置構成され、第２の発光素子が前記第１の辺に対して角度θ１で発光素子ペアの第１のセットのそれぞれの右側に配置構成された、縦方向の位置検出面の第１の辺に沿った様々なポイントに、ペアでフレーム型回路基板の第１の表面上に複数の発光素子ペアの第１のセットを配置構成するステップと、
第１の発光素子が前記第１の辺に対して角度１８０−θ２で前記発光素子ペアの第３のセットのそれぞれの左側に配置構成され、第２の発光素子が前記第１の辺に対して角度θ２で発光素子ペアの第３のセットのそれぞれの右側に配置構成された、前記縦方向の前記位置検出面の前記第１の辺に沿った様々なポイントに、ペアで前記フレーム型回路基板の第２の表面上に前記複数の発光素子ペアの第３のセットを配置構成するステップと、および
各発光素子が前記第１の辺に対して９０度で前記第１の辺に沿った前記様々なポイントに配置構成された、前記フレーム型回路基板の前記第１の面上に前記複数の発光素子の第２のセットを配置構成するステップと、を含み
前記角度θ２、９０度、および角度θ１の間に多重関係が存在しない、
複数の発光素子ペアの第１のセットおよび第３のセット、ならびに複数の発光素子の第２のセットを、位置検出面の周辺を囲むフレーム型回路基板上に配置構成する方法。
【請求項７】
各発光素子が前記第１の辺に対して９０度で前記第１の辺に沿った前記様々なポイントに配置構成された、前記フレーム型回路基板の前記第２の面上に前記複数の発光素子の第２のセットが配置構成可能な、請求項６に記載の方法。
【発明の詳細な説明】
【技術分野】
【０００１】
本明細書に記載された様々な実施形態は光学タッチ・パネルに関し、より具体的に言えば、マルチポイント光学（たとえば赤外線）タッチ・パネルに関する。
【背景技術】
【０００２】
現在、抵抗技術、容量技術、弾性表面波（surface acoustical wave）（ＳＡＷ）技術、赤外線（ＩＲ）技術などを含む、様々なタッチ・パネル技術が存在している。他のタッチ・パネル技術に比べ、ＩＲ技術には、たとえば良好な耐久性、信頼性、および密閉可能性、ならびに較正の不要など、多くの利点がある。
【０００３】
ＩＲタッチ・パネル技術の場合、不可視の光格子をパネル表面上にわずかな距離だけ放射するために、赤外線エミッタ／コレクタ・ペアが使用される。ビームが中断された場合、コレクタでの信号消失が検出され、タッチ座標（たとえばＸ／Ｙ直交座標）に変換される。ＩＲタッチ・パネルは、タッチを決定する方法が電気的または機械的でなく光学的であるため、抵抗技術および容量技術などの技術ほど損傷に対して敏感でない。
【０００４】
従来の光学タッチ・パネルの構造は、参照により本明細書に組み込まれた米国特許第６５９７５０８号に開示されている。この米国特許に示されている図１は、従来の光学タッチ・パネルの構造を示す。光学タッチ・パネルは、矩形位置検出面の２本の隣辺に沿って配置構成された複数の発光素子（たとえばＬＥＤ）と、矩形位置検出面の他の２辺に沿って配置構成された複数の受光素子（たとえば光トランジスタ）１３０を備え、結果として発光素子１１０はそれぞれの受光素子の向かい側に配置され、位置検出面は発光素子と受光素子との間に配置されることになる。しかしながら光学タッチ・パネルでは、発光素子および受光素子が位置検出面の４辺に沿って配置構成されなければならないため、素子間の配線接続を確立するにはかなりの時間を要する。したがって、光学タッチ・パネルは複雑であり、その組み立ては難解であり、サイズを縮小することは困難である。
【０００５】
従来の光学タッチ・パネルの他の構造は、台湾特許出願第９６１５１６６２号に開示されている。
【０００６】
図１を参照すると、台湾特許出願第９６１５１６６２号に示された光学タッチ・パネル１０１の構造の概略図が提供されている。光学タッチ・パネル１０１は、指定長さＬおよび指定幅Ｗ（ここでＬはＷより長いかまたは等しくてよい）を伴う矩形位置検出面１５０と、複数の発光素子ペア（１１０ａ、１１０ｂ）と、２つの反射体（たとえばミラー）１２０と、複数の受光素子ペア（１３０ａ、１３０ｂ）とを備えることができる。各受光素子は、反射体１２０によって反射された光ビーム、または、反射なしに複数の発光素子ペアによって直接発光された光ビームを、受け取るように構成することが可能である。複数の発光素子ペア（１１０ａ、１１０ｂ）は、発光ダイオード（ＬＥＤ）を含むことができる。複数の受光素子ペア（１３０ａ、１３０ｂ）は、光トランジスタを含むことができる。
【０００７】
複数の発光素子ペア（１１０ａ、１１０ｂ）は、縦（Ｌ）方向の矩形位置検出面１５０の第１の辺１１０に沿った様々なポイントに、ペアで配置構成することができる。より具体的に言えば、複数の発光素子ペア（１１０ａ、１１０ｂ）が配置構成可能な第１の辺１１０に沿った、様々なポイント（たとえばポイント０、ポイント１、…ポイントＬ）が存在可能である。開始ポイントおよび終了ポイント（すなわち、第１の辺１１０の端部にあるポイント０およびポイントＬ）以外の、これら様々なポイントのそれぞれに、第１の発光素子（１１０ａ）および第２の発光素子（１１０ｂ）をペアで配置構成可能である（開始ポイント（すなわちポイント０）に第２の発光素子（１１０ｂ）が配置構成可能であり、終了ポイント（すなわちポイントＬ）に第１の発光素子（１１０ａ）が配置構成可能であることに留意されたい。）第１の発光素子（１１０ａ）は、第１の辺１１０に対する角度１８０−θで各発光素子ペア（１１０ａ、１１０ｂ）の左側に配置可能であり、第２の発光素子（１１０ｂ）は、第１の辺１１０に対する角度θで各発光素子ペア（１１０ａ、１１０ｂ）の右側に配置可能である。第１の辺１１０に対する角度θは、角度βより大きいことが可能であり、これは矩形位置検出面１５０のｘ軸に対する矩形位置検出面１５０の対角線の角度とすることが可能である。台湾特許出願第９６１５１６６２号の例示的実施形態によれば、角度θは４５度とすることが可能であり、この場合、各発光素子ペア（１１０ａ、１１０ｂ）の第１の発光素子（１１０ａ）と第２の発光素子（１１０ｂ）との間の角度は９０度である。
【０００８】
同様に、複数の受光素子ペア（１３０ａ、１３０ｂ）は、縦（Ｌ）方向の矩形位置検出面１５０の第１の辺１１０と向かい合う第２の辺１３０に沿った様々なポイントに、ペアで配置構成することができる。より具体的に言えば、複数の受光素子ペア（１３０ａ、１３０ｂ）が配置構成可能な第２の辺１３０に沿った、様々なポイント（たとえばポイント０、ポイント１、…ポイントＬ）が存在可能である。開始ポイントおよび終了ポイント（すなわち、第２の辺１３０の端部にあるポイント０およびポイントＬ）以外の、これら様々なポイントのそれぞれに、第１の受光素子（１３０ａ）および第２の受光素子（１３０ｂ）をペアで配置構成可能である（開始ポイント（すなわちポイント０）に第２の受光素子（１３０ｂ）が配置構成可能であり、終了ポイント（すなわちポイントＬ）に第１の受光素子（１３０ａ）が配置構成可能であることに留意されたい。）第１の受光素子（１３０ａ）は、第２の辺１３０に対する角度θ−１８０で各受光素子ペア（１３０ａ、１３０ｂ）の左側に配置可能であり、第２の受光素子（１３０ｂ）は、第２の辺１３０に対する角度−θで各受光素子ペア（１３０ａ、１３０ｂ）の右側に配置可能である。第２の辺１３０に対する角度θは、角度βより大きいことが可能である。例示的実施形態によれば、角度θは４５度とすることが可能であり、この場合、各受光素子ペア（１３０ａ、１３０ｂ）の第１の受光素子（１３０ａ）と第２の受光素子（１３０ｂ）との間の角度は９０度である。
【０００９】
２つの反射体１２０は、複数の発光素子ペア（１１０ａ、１１０ｂ）によって発光される光ビームを反射させるために、幅（Ｗ）方向の矩形位置検出面１５０の２つの向かい合う辺に沿って配置構成可能である。
【００１０】
図１に示された例示的実施形態によれば、Ｌ＝２３およびＷ＝１９が与えられた場合、ポイント０から４で第２の受光素子（１３０ｂ）のそれぞれが、それぞれポイント１９から２３で第１の発光素子（１１０ａ）から発光された光ビームを受け取ることができる。さらに、ポイント１９から２３で第１の受光素子（１３０ａ）が、それぞれポイント０から４で第２の発光素子（１１０ｂ）から発光された光ビームを受け取ることができる。こうした光ビームの伝送は、図１には明示的に示されていないが、それでもなお図１に示された光学タッチ・パネル１０１に対して可能であることに留意されたい。
【００１１】
制御回路（図示せず）は、位置検出面１５０をスキャンするために、発光素子ペア（１１０ａ、１１０ｂ）に所定の順序で光ビームを発光させるように構成可能である。たとえば、発光素子ペア（１１０ａ、１１０ｂ）が左から右へ順番に１つずつ光ビームを発光するか、または、複数の代替発光素子ペアが所与の時点で同時に光ビームを発光することができる。さらに制御回路は、複数の受光素子ペア（１３０ａ、１３０ｂ）に、複数の発光素子ペア（１１０ａ、１１０ｂ）から発光された光ビームを受け取らせるように構成可能である。したがって、位置検出面１５０上には、図１に示されるような格子パターンで光路が形成されることが可能である。
【００１２】
図１に示されるように、オブジェクトＭ０（たとえばタッチ・ピンまたは指などのポインティング・デバイス）が位置検出面１５０上に配置された場合、オブジェクトＭは、第１の発光素子（１１０ａ）のうちの１つによって発光され、反射体１２０のうちの１つによって反射された光ビーム１４０をブロックする。さらに、オブジェクトＭは、他の第１の発光素子（１１０ａ）によって直接発光された光ビーム１４２をブロックする。
【００１３】
光ビーム１４０および光ビーム１４２のブロックにより、受光素子のうちの２つがこれらの光ビームを受け取らない。光ビームを受け取らない２つの受光素子は、それぞれ、矩形位置検出面１５０の第２の辺１３０の左端（すなわちポイント０）から、距離「ｍ」および「ｎ」だけ離れているものとすることができる。したがって、光ビームを受け取らない２つの受光素子のうちの一方は第２の辺１３０の「左部分に」あり、左端から「ｍ」だけ離れたポイントに配置される場合があり、光ビームを受け取らない２つの受光素子のうちの他方は第２の辺１３０の「右部分に」あり、左端から「ｎ」だけ離れたポイントに配置される場合がある。同様に、２つの受光素子に対応する２つの発光素子は、それぞれ、矩形位置検出面１５０の第１の辺１１０の左端（すなわちポイント０）から、距離「ｘ」および「ｙ」だけ離れているものとすることができる、２つのポイントに位置付けることができる。
【００１４】
したがって制御回路は、光ビーム１４０および光ビーム１４２のブロックにより、どの受光素子が光ビームを受け取れないかに基づいて、オブジェクトＭ０のＸ／Ｙ直交座標（Ａ，Ｂ）を決定するように構成することができる。
【００１５】
オブジェクトＭ０が２つより多くの光ビームをブロックする場合、検出された座標情報を平均化することによって、オブジェクトＭ０の所期の中央位置を決定することができる。こうした平均化は、制御回路によって、または光学タッチ・パネル１０１に対して動作可能に結合された他のデバイスによって、完了可能である。
【００１６】
台湾特許出願第９６１５１６６２号の例示的実施形態によれば、オブジェクトＭ０が２つの光ビームをブロックするイベントで、位置検出面１５０上に配置されたオブジェクトＭ０のＸ／Ｙ直交座標を決定するために、制御回路は、位置検出面１５０を４つの領域Ｉ、ＩＩ、ＩＩＩ、およびＩＶに分割するように構成することができる。これらの４つの領域Ｉ、ＩＩ、ＩＩＩ、およびＩＶは、光ビームを受け取らない２つの受光素子のそれぞれが、複数の受光素子ペア（１３０ａ、１３０ｂ）のうちの１つの、第１の受光素子１３０ａまたは第２の受光素子１３０ｂのいずれであるかに基づくものとすることができる。位置検出面１５０の長さ「Ｌ」および幅「Ｗ」、ならびに、光ビームを受け取らない受光素子のうちの２つの位置が与えられることが可能であるため、幾何解析を通じて、４つの領域Ｉ、ＩＩ、ＩＩＩ、およびＩＶに対するオブジェクトＭ０のＸ／Ｙ直交座標（Ａ，Ｂ）を決定するための数式を取得することができる。
【００１７】
前述の光学タッチ・パネル１０１に関する問題は、単一のポイントのみが検出されることである。たとえばユーザが、位置検出面１５０上の２つのポイント、Ｍ２およびＭ４を同時にタッチした場合、制御回路はポイントＭ２およびＭ４の実際のＸ／Ｙ直交座標を決定することができない。ポイントＭ２およびＭ４は、それぞれ光ビーム１４０、１４２、１４４、および１４６として、４つの光ビームをブロックする。こうしたケースでは、ブロックされた光ビーム１４０、１４２、１４４、および１４６に基づく前述の数式の計算を通じて、６つの潜在ポイント（すなわちＭ０、Ｍ１、Ｍ２、Ｍ３、Ｍ４、Ｍ５）が取得されることになる。したがって、たとえばポイント（Ｍ１およびＭ５）または（Ｍ０およびＭ３）などの、同じ４つの光ビームをブロックする他の２つのポイントの潜在的組み合わせが存在する。したがって制御回路は、光ビーム１４０、１４２、１４４、１４６などの光ビームのブロックによって、どの受光素子がスキャン・サイクル中に光ビームを受け取らないかに基づいて、ポイントＭ２およびＭ４の実際のＸ／Ｙ直交座標を決定することができない。ポイントＭ２およびＭ４を除くこれらのポイントは実際のポイントではないため、ファントム（phantom）ポイントとして定義される。
【００１８】
しかしながら、より使い易いユーザ・インターフェース、および、人と、たとえば使い易いマルチポイント・タッチ・インターフェースまたはいわゆるマルチタッチ・インターフェースを提供するＡｐｐｌｅ（Ｒ）のｉＰｏｄ（Ｒ）  Ｔｏｕｃｈなどの機械との間のより良い対話を、ユーザに提供するために、「マルチポイント」タッチを必要とする多くのアプリケーションが存在する。加えて、マルチポイント・タッチは非常に魅力的な技術であるが、「マルチポイント」タッチ技術に組み込まれているのは他のタッチ・パネルのみである。光学タッチ・パネルの技術分野では、「マルチポイント」タッチの機能は統合されていない。
【先行技術文献】
【特許文献】
【００１９】
【特許文献１】米国特許第６５９７５０８号
【特許文献２】台湾特許出願第９６１５１６６２号
【特許文献３】米国特許出願第ＵＳ２００９／０１６７７２４号
【発明の概要】
【発明が解決しようとする課題】
【００２０】
したがって、「マルチポイント」タッチの機能を光学タッチ・パネルに統合することが有利となる。
【課題を解決するための手段】
【００２１】
本発明の一態様は、指定長さおよび指定幅を伴う位置検出面を備える、マルチタッチ光学タッチ・パネルを開示する。さらに、マルチタッチ光学タッチ・パネルは、複数の光ビームを発光するように構成された複数の発光素子ペアの第１のセットを備えることが可能であり、この複数の発光素子ペアの第１のセットは、縦方向の位置検出面の第１の辺に沿った様々なポイントに、ペアで配置構成される。第１の発光素子は、第１の辺に対して角度１８０−θ１で各発光素子ペアの左側に配置構成可能であり、第２の発光素子は、第１の辺に対して角度θ１で各発光素子ペアの右側に配置構成可能である。
【００２２】
加えて、複数の発光素子の第２のセットは、第１の辺に対して９０度で第１の辺に沿った当該様々なポイントに配置構成可能である。光学タッチ・パネルは、幅方向の位置検出面の２つの向かい合う辺に沿って配置構成された２つの反射体（たとえばミラー）を備えることが可能であり、反射体は、複数の発光素子ペアの第１のセットによって発光された複数の光ビームを反射するように構成される。
【００２３】
さらに、光学タッチ・パネルは、複数の発光素子ペアの第１のセットによって発光された複数の光ビームを受け取るように構成された、複数の受光素子ペアの第１のセットを備えることが可能であり、複数の受光素子ペアの第１のセットは、縦方向の第１の辺と向かい合う位置検出面の第２の辺に沿った様々なポイントに、ペアで配置構成される。第１の受光素子は、第２の辺に対して角度θ１−１８０で各受光素子ペアの左側に配置構成され、第２の受光素子は、第２の辺に対して角度−θ１で各受光素子ペアの右側に配置構成される。
【００２４】
複数の受光素子の第２のセットは、複数の発光素子の第２のセットによって発光される複数の光ビームを受け取るために、第２の辺に対して−９０度で第２の辺に沿った当該の様々なポイントに配置構成される。
【００２５】
光学タッチ・パネルは、複数の発光素子ペアの第１のセットおよび複数の発光素子の第２のセットに、位置検出面をスキャンするために所定の順序で複数の光ビームを発光させるように構成され、さらに、複数の受光素子ペアの第１のセットおよび複数の受光素子の第２のセットに複数の光ビームを受け取らせ、それによって位置検出面上に格子パターンで光路を形成するように構成される、制御回路を備えることが可能である。
【００２６】
マルチタッチ光学タッチ・パネルは、位置検出面上に配置されたオブジェクトを検出するように適合され、ここでオブジェクトが位置検出面上に配置された場合、複数の光ビームの少なくとも一部がオブジェクトによってブロックされ、それにより、複数の光ビームの一部が、複数の受光素子の第２のセットのうちの１つと、複数の受光素子ペアの第１のセットのうちの少なくとも１つの、第１または第２の受光素子のうちの少なくとも１つとに、達するのが妨げられる。
【００２７】
本発明の他の態様は、角度θｉについて、オブジェクトによる光ビームのブロックによってスキャン・サイクル中に光ビームを受け取らないすべての受光素子と、矩形位置検出面の左端からの受光素子の距離とを検出することと、オブジェクトのすべての潜在位置を決定するために光ビームを受け取らないすべての受光素子のうちの任意の２つを選択し、オブジェクトの座標のセットを作成するためにオブジェクトのすべての潜在位置のタッチ座標を別々に計算することによって、すべての潜在的な組み合わせを取得することと、次のθｉについて上記ステップを反復することと、すべてのθｉについてすべての計算が完了した後、オブジェクトの実際の座標を取得するために異なる角度θｉについて作成されたオブジェクトのすべての潜在位置の座標のすべてのセットから交点を取り出すこととを含む、マルチタッチ光学タッチ・パネルの位置検出面上に配置されたオブジェクトの実際の座標を決定する方法を開示する。
【００２８】
本発明の他の態様は、第１の発光素子が第１の辺に対して角度１８０−θ１で発光素子ペアの第１のセットのそれぞれの左側に配置構成され、第２の発光素子が第１の辺に対して角度θ１で発光素子ペアの第１のセットのそれぞれの右側に配置構成された、縦方向の位置検出面の第１の辺に沿った様々なポイントに、ペアでフレーム型回路基板の第１の表面上に複数の発光素子ペアの第１のセットを配置構成することと、第１の発光素子が第１の辺に対して角度１８０−θ２で発光素子ペアの第３のセットのそれぞれの左側に配置構成され、第２の発光素子が第１の辺に対して角度θ２で発光素子ペアの第３のセットのそれぞれの右側に配置構成された、縦方向の位置検出面の第１の辺に沿った様々なポイントに、ペアでフレーム型回路基板の第２の表面上に複数の発光素子ペアの第３のセットを配置構成することと、各発光素子が第１の辺に対して９０度で第１の辺に沿った当該様々なポイントに配置構成された、フレーム型回路基板の第１の面上に複数の発光素子の第２のセットを配置構成することとを含み、角度θ２、９０度、および角度θ１の間に多重関係が存在しない、複数の発光素子ペアの第１のセットおよび第３のセット、ならびに複数の発光素子の第２のセットを、位置検出面の周辺を囲むフレーム型回路基板上に配置構成する方法を開示する。
【００２９】
次に本発明の諸実施形態について、添付の図面を参照しながら単なる例として説明する。
【図面の簡単な説明】
【００３０】
【図１】台湾特許出願第９６１５１６６２号（および副本（counterpart）米国特許出願第ＵＳ２００９／０１６７７２４号）に示された光学タッチ・パネル１０１の構造を示す概略図である。
【図２】２ポイント・タッチの検出を提供するために、図１を改良することによって形成されるマルチタッチ光学タッチ・パネルの構造を示す概略図である。
【図３】図２の問題を解決する、マルチタッチ光学タッチ・パネルの構造を示す概略図である。
【図４】図２の問題を解決する、マルチタッチ光学タッチ・パネルの構造を示す概略図である。
【図５】本発明の一実施形態に従った、４ポイント・タッチを検出するために提供されたマルチタッチ光学タッチ・パネルの構造に関して、追加された複数の発光素子ペア（２１０ｃ、２１０ｄ）および対応する複数の受光素子ペア（２３０ｃ、２３０ｄ）の配置構成を示す概略図である。
【図６】本発明の４ポイント・タッチを検出するために提供されたマルチタッチ光学タッチ・パネルの構造に従った、複数の発光素子ペア（２１０ａ、２１０ｂ）の配置構成を示す上面図である。
【図７】本発明の４ポイント・タッチを検出するために提供されたマルチタッチ光学タッチ・パネルの構造に従った、複数の発光素子ペア（２１０ｃ、２１０ｄ、２１０ｅ）の配置構成を示す上面図である。
【図８】本発明の４ポイント・タッチを検出するために提供されたマルチタッチ光学タッチ・パネルの構造に従った、マルチタッチ光学タッチ・パネルを示す側面図である。
【図９】４ポイント・タッチを検出するために提供されたマルチタッチ光学タッチ・パネルの位置検出面上に配置された、オブジェクトまたはタッチの実際の座標を決定する流れ図である。
【発明を実施するための形態】
【００３１】
次に、様々な例示的実施形態について説明する。開示された諸実施形態は、単なる例示のためのものである。したがって当業者であれば、本開示の趣旨および範囲を逸脱することなく、本明細書で説明される様々な諸実施形態に対して多くの修正が実行可能であることを理解されよう。図面全体を通じて、同じ特徴は同じ参照番号で識別される。
【００３２】
図２を参照すると、２ポイント・タッチの検出を提供するために、図１を改良することによって形成されるマルチタッチ光学タッチ・パネルの構造を示す概略図が提供されている。図に例示されるように、図１に示されたそれぞれペアで配置構成可能な複数の発光素子ペア（１１０ａ、１１０ｂ）および複数の受光素子ペア（１３０ａ、１３０ｂ）に加えて、縦（Ｌ）方向の矩形位置検出面１５０の第１の辺１１０に沿った様々なポイント（たとえばポイント０、ポイント１、．．．ポイントＬ）、および第１の辺１１０と向かい合う第２の辺１３０に沿った様々なポイント（たとえばポイント０、ポイント１、．．．ポイントＬ）で、さらに複数の発光素子１１０ｃおよび複数の受光素子１３０が、それぞれ第１の辺１１０および第２の辺１３０に配置構成可能である。複数の発光素子１１０ｃは、第１の辺１１０に対して９０度で、第１の辺１１０に沿った様々なポイント（たとえばポイント０、ポイント１、．．．ポイントＬ）に配置構成可能であり、複数の受光素子１３０ｃは、第２の辺１３０に対して角度（−９０）で、第２の辺１３０に沿った様々なポイント（たとえばポイント０、ポイント１、．．．ポイントＬ）に配置構成可能である。
【００３３】
こうした状況では、図２に示されるように、図１に示された６つのポイント（すなわちＭ０、Ｍ１、Ｍ２、Ｍ３、Ｍ４、Ｍ５）のそれぞれが、スキャン・サイクル中に通過する３つの光ビームを有する。前述のケースのように、ユーザが位置検出面１５０上の２つのポイントＭ２およびＭ４に同時にタッチした場合、それぞれ光ビーム１４０、１４２、１４４、および１４６として同じ４つの光ビームをブロックする、６つのポイント（すなわちＭ０、Ｍ１、Ｍ２、Ｍ３、Ｍ４、Ｍ５）から選択された他の組み合わせの２つのポイント、たとえば前述のポイント（Ｍ１およびＭ５）または（Ｍ０およびＭ３）が存在することになるが、ポイント５およびポイント６に配置された受光素子１３０ｃのみが、ポイント５およびポイント６に配置された発光素子１１０ｃのみによって発光された光ビームのブロックにより、スキャン・サイクル中に光ビームを受信できない。したがって制御回路は、発光素子１１０ｃによって発光された光ビームのブロックにより、どの受光素子１３０ｃがスキャン・サイクル中に光ビームを受け取ることができないかにさらに基づいて、オブジェクトＭ２およびＭ４の実際のＸ／Ｙ直交座標（Ａ，Ｂ）を決定するように構成することができる。前述の位置検出面上の２ポイント・タッチを検出するためにのみ提供された特別なケースを考えてみると、本発明は、位置検出面１５０上の各ポイントがスキャン・サイクル中に通過する（ｎ）の光ビームを有する場合、（ｎ−１）のポイントに同時にタッチする（ｎ−１）のオブジェクトの実際の座標を決定するように拡大することができる。
【００３４】
制御回路（図示せず）は、位置検出面１５０をスキャンするために発光素子（１１０ａ、１１０ｂ、１１０ｃ）に所定の順序で光ビームを発光させるため、ならびに、それぞれの発光素子と向かい合って配置された受光素子（１３０ａ、１３０ｂ、１３０ｃ）に、発光素子ペア（１１０ａ、１１０ｂ、１１０ｃ）から発光された光ビームを受け取らせるために、構成することができる。したがって、２つのタッチ・ポイントのＸ／Ｙ直交座標を決定するために、位置検出面１５０上に格子パターンで光路を形成することができる。
【００３５】
次に図２を再度参照すると、ユーザが位置検出面１５０上の２つのポイントＭ０およびＭ５を同時にタッチした場合、こうしたケースでは、両方のポイント、ポイント３に配置された発光素子１１０ｃによって発光される光ビームによって形成される同じ光路上に位置付けられる。制御回路は、Ｍ０またはＭ５のどちらのオブジェクトが、ポイント３に配置された発光素子１１０ｃによって発光される光ビームをブロックするかを決定することができない。したがって、図２に示された光学タッチ・パネルの構造は、発光素子１１０ｃによって発光される光ビームによって形成される同じ光路上に「ファントム」ポイントが提示された場合、オブジェクト（またはタッチ）の実際のＸ／Ｙ直交座標を決定することができない。同じ光路上に「ファントム」ポイントが提示される理由は、図１および図２に示された諸実施形態において、発光素子１１０ｃを配置構成するために使用される角度θ（９０度）と、複数の発光素子ペア（１１０ａ、１１０ｂ）を配置構成するために使用される角度θ（４５度）との間に、多重関係が存在するためである。
【００３６】
図３および図４を参照すると、図２の問題を解決するマルチタッチ光学タッチ・パネルの構造を示す概略図が提供されている。図３に示されるように、複数の発光素子ペア（２１０ａ、２１０ｂ）は、縦（Ｌ）方向の矩形位置検出面２５０の第１の辺に対してそれぞれ角度（１８０−θ１）および角度θ１で、第１の辺に沿った様々なポイント（たとえばポイント０、ポイント１、．．．ポイント１４）にペアで配置構成可能であり、複数の発光素子２１０ｅは、第１の辺（図２に示される）に対して角度θ３（すなわち９０度）で第１の辺に沿った様々なポイント（たとえばポイント０、ポイント１、．．．ポイント１４）に配置構成可能である。同様に、複数の受光素子ペア（２３０ａ、２３０ｂ）は、縦（Ｌ）方向の矩形位置検出面２５０の第２の辺に対してそれぞれ角度（θ１−１８０）および角度（−θ１）で、第１の辺に向かい合った第２の辺に沿った様々なポイント（たとえばポイント０、ポイント１、．．．ポイント１４）にペアで配置構成可能であり、複数の受光素子２３０ｅは、第２の辺に対して角度−θ３（すなわち−９０度）で第２の辺に沿った様々なポイント（たとえばポイント０、ポイント１、．．．ポイント１４）に配置構成可能である。
【００３７】
図３および図４に示された諸実施形態では、発光素子２１０ｅを配置構成するために使用される角度θ３（９０度）と、複数の発光素子ペア（２１０ａ、２１０ｂ）を配置構成するために使用される角度θ１（４５度ではない）との間に、多重関係は存在しない。したがって、同じ光路上に「ファントム」ポイントが提示される問題は解決される。
【００３８】
前述の台湾特許出願第９６１５１６６２号の例示的実施形態と同様に、図３に示された光学タッチ・パネルの位置検出面２５０上にオブジェクトＭが配置された場合、オブジェクトＭは２つの光ビームをブロックし、これによってこの２つの光ビームが発光素子と向かい合って配置された２つの受光素子に達するのが妨げられる。制御回路（図示せず）は、位置検出面２５０を４つの領域Ｉ、ＩＩ、ＩＩＩ、およびＩＶに分割するように構成可能である。これらの４つの領域Ｉ、ＩＩ、ＩＩＩ、およびＩＶは、光ビームを受け取らない２つの受光素子のそれぞれが、複数の受光素子ペア（２３０ａ、２３０ｂ）のうちの１つの第１の受光素子２３０ａまたは第２の受光素子２３０ｂのいずれであるかに基づくものとすることができる。
【００３９】
台湾特許出願第９６１５１６６２号の例示的実施形態に開示されたように、角度θ１は４５度にはならない。しかしながら、前述のように、オブジェクトＭによるブロックによって光ビームを受け取らない２つの受光素子が存在する可能性があり、これら２つの受光素子は、長さ「Ｌ」および幅「Ｗ」を伴う位置検出面２５０の第２の辺の左端から、それぞれ距離「ｍ」および「ｎ」だけ離れた、２つのポイントに位置付けすることができる。位置検出面２５０のパラメータ（Ｌ、Ｗ、ｍ、ｎ、θ１）および４つの領域Ｉ、ＩＩ、ＩＩＩ、およびＩＶを考慮すると、制御回路は、幾何解析を通じてオブジェクトＭのＸ／Ｙ直交座標（Ａ，Ｂ）を計算するように構成可能である。こうした計算は、４つの数式を使用して実施可能であり、所与のケースで使用される数式は、オブジェクトＭが４つの領域のいずれに位置付けられるかに依存する。Ｘ／Ｙ直交座標（Ａ，Ｂ）は、以下のように計算可能である。
【００４０】
スキャン・サイクル中に光ビームを受け取らない２つの受光素子が、どちらも第１の受光素子（２３０ａ）である場合、オブジェクトＭは位置検出面２５０の領域Ｉ内に位置する。オブジェクトＭが領域Ｉ内に位置する場合、Ｘ／Ｙ直交座標（Ａ，Ｂ）を決定するための数式は以下のとおりである。
【数１】
0005593375.tif 000002
【００４１】
スキャン・サイクル中に光ビームを受け取らない２つの受光素子が、どちらも第２の受光素子（２３０ｂ）である場合、オブジェクトＭは位置検出面２５０の領域ＩＩ内に位置する。オブジェクトＭが領域ＩＩ内に位置する場合、Ｘ／Ｙ直交座標（Ａ，Ｂ）を決定するための数式は以下のとおりである。
【数２】
0005593375.tif 000003
【００４２】
スキャン・サイクル中に光ビームを受け取らない位置検出面２５０の第２の辺の左部分にある受光素子が第１の受光素子（２３０ａ）であり、光ビームを受け取らない位置検出面２５０の第２の辺の右部分にある受光素子が第２の受光素子（２３０ｂ）である場合、オブジェクトＭは位置検出面２５０の領域ＩＩＩ内に位置する。オブジェクトＭが領域ＩＩＩ内に位置する場合、Ｘ／Ｙ直交座標（Ａ，Ｂ）を決定するための数式は以下のとおりである。
【数３】
0005593375.tif 000004
【００４３】
スキャン・サイクル中に光ビームを受け取らない位置検出面２５０の第２の辺の左部分にある受光素子が第２の受光素子（２３０ｂ）であり、光ビームを受け取らない位置検出面２５０の第２の辺の右部分にある受光素子が第１の受光素子（２３０ａ）である場合、オブジェクトＭは位置検出面２５０の領域ＩＶ内に位置する。オブジェクトＭが領域ＩＶ内に位置する場合、Ｘ／Ｙ直交座標（Ａ，Ｂ）を決定するための数式は以下のとおりである。
【数４】
0005593375.tif 000005
【００４４】
「単一」オブジェクトＭのＸ／Ｙ直交座標（Ａ，Ｂ）は、前述の計算によって固有に決定することができる。図３および図４は、２ポイント・タッチ用にのみ提供されるマルチタッチ光学タッチ・パネルの構造を示す概略図である。ユーザが、図３に示されるように位置検出面２５０上の２つのポイントに同時にタッチした場合、この２つのポイントは４つの光ビームをブロックすることになる。こうしたケースでは、ブロックされた光ビームに基づく前述のような数式の計算を通じて、６つの潜在ポイントが取得されることになる。
【００４５】
前述の規則に従って、位置検出面上の各ポイントがスキャン・サイクル中に通過する（ｎ）の光ビームを有する場合、（ｎ−１）のポイントに同時にタッチする（ｎ−１）のオブジェクトの実際の座標が決定可能である。したがって、４ポイント・タッチを検出するために提供されるマルチタッチ光学タッチ・パネルの構造は、実際のタッチ・ポイントを抽出するためにブロックされた光ビームに基づいて前述の数式を計算することによって６つの潜在ポイント取得するため、および、４ポイント・タッチが必要な場合、オブジェクトまたはタッチの実際の座標を決定するために、図３および図４に示されたような位置検出面２５０上に追加の他の発光素子および対応する受光素子をさらに追加することによって作成可能である。図５は、４ポイント・タッチを検出するために提供されたマルチタッチ光学タッチ・パネルの構造に関して、位置検出面２５０上に追加された複数の発光素子ペア（２１０ｃ、２１０ｄ）および対応する複数の受光素子ペア（２３０ｃ、２３０ｄ）の配置構成を示す概略図である。以下に、複数の発光素子ペア（２１０ａ、２１０ｂ、２１０ｃ、２１０ｄ）および複数の発光素子２１０ｅ、または複数の受光素子ペア（２３０ａ、２３０ｂ、２３０ｃ、２３０ｄ）および複数の受光素子２３０ｅを配置構成するための方法の詳細を、図６から図９を参照しながら説明する。
【００４６】
図５に示されるように、角度θ１ではなく角度θ２を伴う、他の発光素子および対応する受光素子が、２ポイント・タッチを検出するために提供されたマルチタッチ光学タッチ・パネルの構造である図３および図４に示されるような位置検出面２５０上に追加されることを示す。追加された複数の発光素子ペア（２１０ｃ、２１０ｄ）は、縦（Ｌ）方向の矩形位置検出面２５０の第１の辺に対してそれぞれ角度（１８０−θ２）および角度θ２で、第１の辺に沿った様々なポイント（たとえばポイント０、ポイント１、．．．ポイント１４）にペアで配置構成可能である。同様に、対応する複数の複数の受光素子ペア（２３０ｃ、２３０ｄ）は、縦（Ｌ）方向の矩形位置検出面２５０の第２の辺に対してそれぞれ角度（θ２−１８０）および角度（−θ２）で、第１の辺に向かい合った第２の辺に沿った様々なポイント（たとえばポイント０、ポイント１、．．．ポイント１４）にペアで配置構成可能である。図３および図４に示された諸実施形態では、角度θ２と、発光素子２１０ｅを配置構成するために使用される角度θ３（９０度）と、複数の発光素子ペア（２１０ａ、２１０ｂ）を配置構成するために使用される角度θ１（４５度ではない）との間に、多重関係は存在しない。すなわち、角度θ２も４５度ではない。したがって、同じ光路上に「ファントム」ポイントが提示されないことになる。こうした状況では、図３、図４、および図５を統合することによるマルチタッチ光学タッチ・パネルの構造を使用して、４つのポイントに同時にタッチする４つのオブジェクトを識別し、その実際の座標を決定することができる。決定の方法の詳細については、後に図９を参照しながら説明する。
【００４７】
図６、図７、および図８はそれぞれ、４ポイント・タッチを検出するために提供された本発明のマルチタッチ光学タッチ・パネルに従った、複数の発光素子ペア（２１０ａ、２１０ｂ、２１０ｃ、２１０ｄ）および複数の発光素子２１０ｅ、または複数の受光素子ペア（２３０ａ、２３０ｂ、２３０ｃ、２３０ｄ）および複数の受光素子２３０ｅを配置構成する方法の、組み立て斜視図を示し、図６は複数の発光素子ペア（２１０ａ、２１０ｂ）の配置構成を示す上面図であり、図７は複数の発光素子ペアおよび複数の発光素子（２１０ｃ、２１０ｄ、２１０ｅ）の配置構成を示す上面図であり、図８はマルチタッチ光学タッチ・パネルのす側面図である。図８に示されるように、複数の受光素子ペア（２１０ａ、２１０ｂ）および複数の受光素子ペア（２１０ｃ、２１０ｄ）は、それぞれ、位置検出面２５０の上面および底面上に配置構成可能である。複数の受光素子ペア、複数の発光素子、複数の受光素子ペアおよび複数の受光素子が、位置検出面２５０の周辺を囲むフレーム型回路基板３１０に取り付けられる。
【００４８】
図９は、４ポイント・タッチを検出するために提供されたマルチタッチ光学タッチ・パネルの位置検出面上に配置された、オブジェクトまたはタッチの実際の座標を決定する流れ図である。プロセスはステップ７０４で開始され、角度θｉについて、パネルは、オブジェクト（タッチ）による光ビームのブロックによってスキャン・サイクル中に光ビームを受け取らないすべての受光素子と、矩形位置検出面の左端からの受光素子の距離とを検出する（図３に示されるように、光ビームを受け取らない２つの受光素子は、それぞれ矩形位置検出面の左端からの距離を「ｍ」および「ｎ」とすることが可能な２つのポイントに位置付けられる可能性がある）。パネルは、オブジェクトのすべての潜在位置を決定するために、光ビームを受け取らないすべての受光素子のうちの任意の２つを選択することによって、すべての潜在的組み合わせを取得し、４つの領域Ｉ、ＩＩ、ＩＩＩ、およびＩＶに関する４つの数式に基づいてオブジェクト（タッチ）の座標セットを作成するために、オブジェクトのすべての潜在位置のタッチ座標を別々に計算する（ステップ７０６）。ステップ７０８では、この距離およびオブジェクト（タッチ）の座標セットが格納される。その後、プロセスは、次のθｉについて以前のステップを反復する（ステップ７１０）。例示的実施形態によれば、マルチタッチ光学タッチ・パネルは、４ポイント・タッチを検出するように設計され、パネル上の各ポイントは、スキャン・サイクル中に通過する５つの光ビームおよび３つの角度θｉのみを必要とする。したがって、ｉ＝４の場合、プロセスはステップ７１２へと進み、オブジェクトの実際の座標を取得するために、異なる角度θｉについて作成されたオブジェクトのすべての潜在位置のすべての座標セットから交点を取り出す。
【００４９】
本開示の範囲を逸脱することなく、様々な実施形態に対して様々な修正および再配置構成が実行可能である。たとえば、開示された本発明の例示的実施形態によれば、マルチタッチ光学タッチ・パネルは、４つを超えるポイント・タッチが必要な場合、実際のタッチ・ポイントを抽出してオブジェクトまたはタッチの実際の座標を決定するために、図３および図４に示されるように位置検出面２５０上に他の発光素子および対応する受光素子をさらに追加することによって、４つを超えるポイント・タッチを検出するように拡大することができる。したがって、当業者であれば、様々な実施形態の新規な教示および利点から実質的に逸脱することなく、マルチポイント・タッチに関する異なる構造を使用することが可能であることを理解されよう。
【００５０】
これらの実施形態の特徴および趣旨をより良く理解するために、図面を参照しながら、本明細書の様々な実施形態が例示されている。様々な実施形態は、本明細書に記載された特定の例示的実施形態に限定されるものではなく、それらの範囲を逸脱することなく様々な修正および再配置構成が可能であることを理解されよう。したがって、最も広範囲な説明を提供する詳細な説明が添付された以下の特許請求の範囲は、様々な実施形態の範囲を定義するのみならず、それらの真の趣旨および範囲内にあるすべての修正および変更をカバーするものであることが意図される。
【図１】
0005593375.tif 000010
【図２】
0005593375.tif 000011
【図３】
0005593375.tif 000012
【図４】
0005593375.tif 000013
【図５】
0005593375.tif 000014
【図６】
0005593375.tif 000015
【図７】
0005593375.tif 000016
【図８】
0005593375.tif 000017
【図９】
0005593375.tif 000018